(57)【要約】  本発明は、閉鎖本体（１４）および閉鎖蓋（１５）を備える、飲料容器用の閉鎖装置に関し、前記閉鎖蓋（１５）は、前記閉鎖蓋（１５）が閉鎖本体（１４）に対して流動状態と密閉状態との間で回転することができるように取り付けられる。閉鎖本体（１４）の液体チャネル（１６）は、流動状態で解放され、封止状態で閉塞される。ガイド装置（１７、１８、１９、２０、２１、３５）が、閉鎖蓋（１５）と閉鎖本体（１４）との間に配置される。ガイド装置は、封止状態および流動状態を画定する２つの所期の位置（２１、３５）を有する。閉鎖蓋（１５）と閉鎖本体（１４）との間の回転可能な取付け具は、ねじ付き取付け具（３０、３１）の形をとる。【選択図】  図１
2021510658.tif 000002
【特許請求の範囲】
【請求項１】
閉鎖本体（１４）と、閉鎖蓋（１５）とを有する、飲料容器用の閉鎖装置であって、
前記閉鎖蓋（１５）が、流動状態と封止状態との間で前記閉鎖本体（１４）に対して回転可能であるように取り付けられており、
前記閉鎖本体（１４）の液体通路（１６）が、前記流動状態で妨げられず、前記封止状態で閉鎖されており、前記閉鎖蓋（１５）と前記閉鎖本体（１４）との間にガイド装置（１７、１８、１９、２０、２１、３５）を有し、
前記ガイド装置が、２つの所期の位置（２１、３５）を含み、前記２つの所期の位置（２１、３５）を用いて前記封止状態および前記流動状態が画定され、
前記閉鎖蓋（１５）と前記閉鎖本体（１４）との間の回転可能な取付け部が、ねじ付き取付け部（３０、３１）の形をとる、飲料容器用の閉鎖装置。
【請求項２】
前記所期の位置（２１、３５）への到達および／または前記所期の位置（２１、３５）からの離脱が、触覚手段によって識別され得ることを特徴とする、請求項１に記載の閉鎖装置。
【請求項３】
前記ガイド装置（１７、１８、１９、２０、２１、３５）が摺動式のガイドの形をとり、前記摺動式のガイドでは、前記閉鎖蓋（１５）のガイド要素（１７）が、前記封止状態と前記流動状態との間の作動経路上で前記閉鎖本体（１４）のガイド要素（１８）に沿って摺動することを特徴とする、請求項１または２に記載の閉鎖装置。
【請求項４】
前記２つの所期の位置（２１、３５）のうちの第１の所期の位置（２１）が乗り越えられ得るガイドストッパ（１９）に隣接すること、および／または、前記２つの所期の位置（２１、３５）のうちの第２の所期の位置（３５）がエンドストッパ（２０）に隣接することを特徴とする、請求項１〜３のいずれか一項に記載の閉鎖装置。
【請求項５】
第１のガイド要素がガイド面（１８）の形をとり、
前記ガイド面が円周面であり、前記閉鎖蓋の回転軸線（２９）と同心である２つの円によって１つまたは複数の角度が付いたセクションで境界が画されていることを特徴とする、請求項１〜４のいずれか一項に記載の閉鎖装置。
【請求項６】
前記２つの所期の位置（２１、３５）のうちの第１の所期の位置（２１）および／または前記２つの所期の位置（２１、３５）のうちの第２の所期の位置（３５）が、前記ガイド面（１８）の引っ込んだセクションによって画定されていることを特徴とする、請求項５に記載の閉鎖装置。
【請求項７】
前記ガイド装置が、前記ガイド面（１８）と相互作用するガイド体（１７）を備えることを特徴とする、請求項５または６に記載の閉鎖装置。
【請求項８】
前記ガイド体（１７）が摺動面を備え、前記摺動面が、前記摺動面の第１のサブセクション（２２）を介して、平坦であるかまたは前記閉鎖蓋の前記回転軸線（２９）に対して同心に湾曲している前記ガイド面（１８）と接触することができ、前記摺動面と前記ガイド面（１８）との間の距離が、前記摺動面の第２のサブセクション（２３）内で回転方向に連続的に増加し、前記摺動面が、前記第２のサブセクション（２３）を介して前記ガイドストッパ（１９）と接触することができることを特徴とする、請求項７に記載の閉鎖装置。
【請求項９】
前記ねじのピッチが、前記ガイド装置（１７、１８、１９、２０、２１、３５）が３６０°以下の回転角で軸線方向に係合解除されるように寸法決めされていることを特徴とする、請求項１〜８のいずれか一項に記載の閉鎖装置。
【請求項１０】
前記閉鎖蓋（１５）の封止要素（２４）が、前記流動状態で前記閉鎖本体（１４）の空気通路（２５）から軸線方向に離間されること、および／または、前記閉鎖蓋（１５）の封止要素（２４）が、前記流動状態で前記液体通路（１６）から軸線方向に離間されることを特徴とする、請求項１〜９のいずれか一項に記載の閉鎖装置。
【請求項１１】
前記閉鎖蓋（１５）が、前記閉鎖本体（１４）から完全に分離可能であることを特徴とする、請求項１〜１０のいずれか一項に記載の閉鎖装置。
【請求項１２】
前記液体通路（１６）および／または前記空気通路（２５）が、前記閉鎖蓋の回転軸線（２９）に対して垂直に向けられた端面（２６）内に開口すること、および、前記閉鎖蓋（１５）が前記端面（２６）に適合する封止要素（２４）を有することを特徴とする、請求項１〜１１のいずれか一項に記載の閉鎖装置。
【請求項１３】
前記端面（２６）が、前記ガイド装置（１７、１８、１９、２０、２１、３５）の半径方向外側に配置されることを特徴とする、請求項１２に記載の閉鎖装置。
【請求項１４】
前記閉鎖本体の前記ガイド要素（１８）が、前記端面（２６）に対して軸線方向に引っ込んでいることを特徴とする、請求項１２または１３に記載の閉鎖装置。
【発明の詳細な説明】
【技術分野】
【０００１】
本発明は、飲料容器用の閉鎖装置に関する。閉鎖装置は、閉鎖本体および閉鎖蓋を備え、閉鎖蓋は、流動状態と封止状態との間で閉鎖本体に対して回転可能であるように取り付けられる。閉鎖本体の液体通路は、流動状態で障害物がなく、封止状態で閉鎖される。
【背景技術】
【０００２】
飲料容器用の閉鎖装置は、多数の機能的な構成要素を有する複雑な構造であることが多く、かつ／または複雑な機構をベースとしているので、直感的な取り扱いが困難である。
【発明の概要】
【０００３】
本発明は、飲料容器用の閉鎖装置を提示するという目的をベースとしており、閉鎖装置は、操作するのが簡単でありかつ洗浄するのが容易である。この目的は、請求項１の特徴によって達成される。有利な諸実施形態が従属請求項に定められている。
【０００４】
本発明による閉鎖装置は、閉鎖蓋と閉鎖本体との間にガイド装置を有し、ガイド装置は、第１の所期の位置および第２の所期の位置を有し、第１の所期の位置および第２の所期の位置を用いて封止状態および流動状態が画定される。閉鎖蓋と閉鎖本体との間の回転可能な取付け部は、ねじ付き取付け部の形をとる。
【０００５】
閉鎖可能な飲料容器は２つの必要不可欠な使用状態を有し、この容器は、一方の状態では封止する形で閉鎖され、他方の状態では液体が容器から流出することができる。前記２つの状態は、閉鎖蓋が回転しているときの閉鎖蓋の２つの所期の位置に基づいて、本発明による閉鎖装置のユーザによって識別され得る。
【０００６】
最初にいくつかの用語について説明する。閉鎖本体とは、閉鎖装置構成要素を指し、閉鎖装置構成要素は飲料容器の下部に適合し、その下部の開口部が閉鎖装置構成要素を用いて封止され得る。液体通路および／または空気ダクトが閉鎖本体内に形成され得る。
【０００７】
閉鎖蓋とは、閉鎖本体と相互作用する閉鎖装置構成要素を指し、閉鎖蓋は、閉鎖本体に対して回転可能に取り付けることができる。閉鎖蓋は、封止状態では、閉鎖本体の１つまたは複数の通路を封止する形で閉鎖することができ、流動状態では、液体が飲料容器から流出することができるように１つまたは複数の通路を露出させることができる。飲料容器は、ユーザが飲料容器から直接飲むことができるように口に配置され得る。液体を飲料容器から別の容器内に静かに注ぐことも可能である。
【０００８】
封止状態および流動状態はそれぞれ、閉鎖蓋と閉鎖本体との間の回転の角度位置または前記角度位置を中心とする角度範囲に対応することができる。封止状態に設定されるべき角度位置は、流動状態に設定されるべき角度位置から半回転未満、例えば４分の１回転とすることができる。
【０００９】
ガイド装置とは、閉鎖蓋と閉鎖本体との間の１つまたは複数の角度位置を区別するとともに、この角度位置をユーザが識別できるようにする機構を指す。識別可能となるそのような角度位置は、所期の位置と呼ばれる。第１の所期の位置および第２の所期の位置はそれぞれ、封止状態または流動状態に設定されるべき角度位置にマークを付けることができる。
【００１０】
所期の位置は、触覚手段によって識別され得る、例えば、所期の位置から離れるときの回転抵抗は、所期の位置に到達するときの回転抵抗よりも大きくすることができる。
【００１１】
ガイド装置は摺動式のガイドの形をとることができ、摺動式のガイドでは、閉鎖蓋のガイド要素が、封止状態と流動状態との間の作動経路上で閉鎖本体のガイド要素と係合する。ガイド装置は、閉鎖蓋と閉鎖本体との間の相対運動に対する所定の摩擦力を設定することができ、この摩擦力に対して所期の位置が画定される。摩擦力は、封止状態と流動状態との間の作動経路の上で一定とすることができる。これは、作動経路の両運動方向に該当することができる。この意味で所期の位置は作動経路には属さない。
【００１２】
ガイド装置は、作動経路から第１の所期の位置および／または第２の所期の位置への移行中に回転抵抗が小さくなるような形で構成され得る。作動経路から見て外方に向く面にて、第１の所期の位置および／または第２の所期の位置は、ガイド装置のストッパによって境界を定めることができる。ストッパは、ガイドストッパまたはエンドストッパとして構成され得る。エンドストッパは、大きな力が加えられたときでも、閉鎖蓋と閉鎖本体との間のさらなる相対運動を妨げる。ガイドストッパは、作用力を高めることにより乗り越えることができる。ガイドストッパは両側に作用することができる、したがって、ガイドストッパは、所期の位置から作動経路とは反対の方向に離れるときにも、作動経路とは反対の方向から所期の位置に近づくときにも、作用力を高めることにより乗り越えることができる。ガイドストッパを乗り越えることにより所期の位置が乗り越えられると、運動経路を切り開くことができ、閉鎖蓋は、この運動経路に沿って閉鎖本体から分離され得る。一実施形態では、流動状態に対応する所期の位置は、ガイドストッパによって限定され、封止状態に対応する所期の位置は、エンドストッパによって限定される。
【００１３】
ガイドストッパは、例えば、低い、かつ／またはなだらかなフランク（側面）を有する凸状湾曲部の形をとることができ、エンドストッパは、例えば、より高い、かつ／または縁部を有する凸状湾曲部の形をとることができる。
【００１４】
ガイド装置は、所期の位置から作動経路への移行中に抵抗の増加に打ち勝たねばならないように構成され得る。抵抗の増加に打ち勝つのに要する力は、ガイドストッパを乗り越えるのに要する力よりも小さくすることができる。
【００１５】
ガイド装置の第１のガイド要素は、閉鎖蓋の回転軸線と同心であるガイド面の形をとることができる。ガイド面のセクション（区域）は作動経路を画定することができる。第１の所期の位置および／または第２の所期の位置は、ガイド面に対して引っ込んだセクションとして構成され得る。ストッパは、ガイド面に対して突出するセクションの形をとることができる。一実施形態では、ガイド面は閉鎖本体上に配置される。
【００１６】
ガイド面は、閉鎖蓋の回転軸線に対して円周面とすることができる。ガイド面は、回転軸線と同心である２つの円に沿ったセクションで延びることができる。２つの円の半径は、同じとすることができる、またはセクション内で互いに異なることができる、すなわち、円の半径は、セクションごとに異なる値をとることができる。
【００１７】
所期の位置は、ガイド面の引っ込んだセクションとして画定され得る。引っ込んだセクションは、ガイド面の、第２のガイド要素に面する側面上の凹状湾曲部とすることができ、凹状湾曲部の断面は連続とすることができる、すなわち、なだらかなフランクを有することができる、かつ／または不連続とすることができる、すなわち、角度の付いた形状を有することができる。好ましい一実施形態では、第１の所期の位置および第２の所期の位置は共に、ガイド面の引っ込んだセクションとして画定される。
【００１８】
第２のガイド要素はガイド体の形をとることができ、ガイド体はガイド面と相互作用することができる。相互作用は、ガイド体の摺動面を介して起こることができ、摺動面は、ガイド面と完全にまたはサブセクションを介して接触することができる。摺動面は、摺動面の第１のサブセクションを介して、平坦であるかまたは回転軸線に対して同心に湾曲しているガイド面と接触することができる。摺動面の第２のサブセクションは、回転方向および／または回転方向とは逆の方向に、回転経路に沿って第１のサブセクションに連続的に隣接することができ、摺動面と平坦なまたは同心に湾曲しているガイド面との間の距離は第２のサブセクション内で、第１のサブセクションからの距離が回転経路に沿って増大するにつれて、連続的に増大することができる。回転経路に沿って摺動面を通る断面は、例えば、Ｖ字形またはＹ字形を有することができる。ガイドストッパの凸状湾曲部は、ガイド体の摺動面の第２のサブセクションと接触することができ、ガイドストッパの方向へのさらなる回転が、接触領域を第２のサブセクションから第１のサブセクションにまで変位させることができる。
【００１９】
閉鎖蓋と閉鎖本体との間の回転可能な取付け部は、ねじ付き取付け部の形をとる。おねじは、閉鎖蓋上または閉鎖本体上に形成され得る。ねじは、右ねじまたは左ねじとすることができ、好ましい一実施形態では、ねじは右ねじである。封止状態の所期の位置から流動状態の所期の位置までの回転は、閉鎖本体に対して閉鎖蓋を回してねじを緩めるかまたは締めることを意味することができ、好ましい一実施形態では、封止状態から流動状態までの回転はねじを緩めることを意味する。
【００２０】
ねじのピッチは、ガイド装置が３６０°以下の回転角で軸線方向に係合解除されるように寸法決めされ得る。例えば、ねじを締める間、ガイド体は、エンドストッパを軸線方向にオフセットして通過することができ、完全に回転した後、エンドストッパに当接することができる。
【００２１】
閉鎖蓋の封止要素は、封止状態では閉鎖本体の１つまたは複数の開口部上に封止する形で載ることができ、流動状態では前記開口部から軸線方向に離間され得る。軸線方向の距離は、ねじ付き取付け部でまたは別の方法で回転運動および軸線方向運動を結合することによって実現され得る。封止要素は、例えばシリコンまたはゴムから構成され得る。閉鎖蓋は２成分射出成形プロセスで封止要素と共に生成され得ると有利になる。これは、例えば、熱可塑性エラストマ（ＴＰＥ）が封止要素に使用される場合に可能である。閉鎖本体は、射出成形部品とすることもできる。したがって、閉鎖装置は全体として、２つの射出成形部品から構成され得る。
【００２２】
閉鎖本体の開口部は、空気通路および液体通路に属することができ、空気通路は、液体を飲料容器から液体通路を通って注ぐときに圧力を均等にする働きをすることができる。代替的にまたは追加として、閉鎖本体の封止要素は、流動状態で閉鎖本体の１つまたは複数の開口部から回転軸線に垂直な方向に離間され得る。好ましい一実施形態では、封止要素は、流動状態で液体通路および空気通路から軸線方向に離間され、さらに液体通路から回転経路に沿って離間される。
【００２３】
閉鎖蓋は、閉鎖本体から完全に分離可能であり得る。分離後、閉鎖装置は２つの部分で構成され得る。分離は、例えば閉鎖装置の洗浄を容易にすることができる。分離操作は、例えば、閉鎖蓋を引っ張ることにより、好ましくは閉鎖蓋を回転させて作動経路から外すことにより行うことができる。
【００２４】
液体通路および／または空気通路は、閉鎖本体の上側の端面内に開口することができる、ここで、閉鎖本体の上側とは、飲料容器から見て外方に向く側を指す。端面は、湾曲することができかつ／または斜め向きにすることができ、好ましい一実施形態では、端面は平坦であり、閉鎖蓋と閉鎖本体との間で回転軸線に対して垂直に延びる。閉鎖蓋は、端面に適合する封止要素を有することができ、封止要素は、封止状態で端面の通路開口部を封止し、閉鎖本体に対する閉鎖蓋の回転を可能にする。
【００２５】
端面は、閉鎖本体の上側の任意所望のセクションを占めることができる。好ましい一実施形態では、端面は、ガイド装置の半径方向外側に配置される。半径方向配置の一つの利点は、閉鎖蓋の取付け部の向こう側に軸線方向領域の通路開口部のための十分な面積を確保することにあり、加えて、半径方向に配置された開口部は回転経路に沿って、例えば封止要素によって覆われ、再び露出され得る。
【００２６】
閉鎖本体のガイド要素は、端面の軸線方向高さで、または端面上に直接形成され得る。あるいは、閉鎖本体のガイド要素は、端面に対して軸線方向にオフセットされる。好ましい一実施形態では、ガイド要素は端面に対して軸線方向に後退され、この後退は閉鎖本体の下側の方向の変位になる。
【００２７】
閉鎖本体および閉鎖蓋は、例えばプラスチックから構成され得る。飲料容器と共に閉鎖装置を使用する間にたびたび液体で濡らされる表面は滑らかに研磨され得る、すなわち、影響を受ける表面は、例えば、閉鎖本体の下側および通路の内側とすることができる。
【００２８】
本発明による閉鎖装置は、飲料容器の下部に接続されるように設計され得る。閉鎖装置は、封止フランジを備えることができ、封止フランジを用いて閉鎖装置と飲料容器の下部との間の液密閉鎖部が生成され得る。下部は液体を受け入れるように設計され得る。例えば、下部はカップの形をとることができ、カップの開口部は上を向いている。閉鎖装置は、閉鎖装置がねじ付き接続部を介して下部に接続され得るように、ねじ付き構成要素を備えることができる。本発明はまた、かかる下部およびかかる閉鎖装置を備える飲料容器にも関する。
【００２９】
飲料容器は、特にコーヒーカップの形をとる飲用容器とすることができる。閉鎖蓋が流動状態にある場合、閉鎖蓋の切欠きは、液体通路からの飲用を行うことができるように、液体通路の開口部に位置合せされる。同時に、飲料容器内の負圧が回避されるように、空気が空気通路を通って飲料容器の内部に入る。閉鎖本体から上向きに延びる壁は注ぎ口として機能を果たし、飲料容器は注ぎ口を介して口に配置され得る。封止状態では、閉鎖蓋は液体通路および空気通路を封止する。飲料容器は、飲料容器が転倒しても液体が出てこないように全体的に封止される。
【００３０】
本発明について、有利な実施形態を使用して添付の図面を参照しながら以下に例として説明する。
【図面の簡単な説明】
【００３１】
【図１】本発明による閉鎖本体を上から見た斜視図である。
【図２】本発明による閉鎖蓋を下から見た斜視図である。
【図３】図１の閉鎖本体を上から見た図である。
【図４】図２の閉鎖蓋を下から見た図である。
【図５】図１の閉鎖本体を下から見た斜視図である。
【図６】図２の閉鎖蓋を上から見た斜視図である。
【発明を実施するための形態】
【００３２】
図１に示される閉鎖本体１４は、閉鎖本体１４の下側で封止フランジ２７を介して飲料容器の下部（図示せず）に接続され得る。閉鎖本体の外壁２８は、飲料容器の外壁と面一で終端することができる。閉鎖本体１４の中心にはめねじ３０があり、めねじ３０は、閉鎖蓋１５（図２）の下側のおねじ３１に適合する。
【００３３】
閉鎖本体１４の上側は平坦な端面２６を有し、端面２６は、外壁２８によって外側の境界が定められ、中央凹部によって内側の境界が定められている。端面２６は、閉鎖本体１４と閉鎖蓋１５（図２）との間の取付け部の回転軸線２９に対して垂直に延び、液体通路１６の口および空気通路２５の口に対応する２つの開口部を有する。
【００３４】
端面２６に対して垂直に延びかつ回転軸線２９と同心であるガイド面１８が中央凹部内に形成されている。低く、なだらかなフランク（側面）を有するガイド面１８の凸状湾曲部がガイドストッパ１９を形成している。より高く、角度の付いた形状を有するガイド面１８の凸状湾曲部がエンドストッパ２０を形成している。２つの凹状湾曲部が、ガイド面１８の第１の所期の位置２１および第２の所期の位置３５を引っ込んだセクションの形で画している。ガイド装置の作動経路が、第１の所期の位置２１と第２の所期の位置３５との間で延びている。
【００３５】
図２は閉鎖蓋１５を示し、閉鎖蓋１５は、ねじ付き取付け部３０、３１を介して閉鎖本体１４に接続され得る。流動状態では、閉鎖蓋１５の切欠き３２が、閉鎖本体１４の液体通路１６の上方にある。そのとき、ガイド体１７は、摺動面の第１のセクション２２を介してガイド面１８の引っ込んだセクション２１と接触し、同時に第２のサブセクション２３を介してガイドストッパ１９と接触することができ、閉鎖蓋１５をガイドストッパ１９の方向に回転させると、摺動面のサブセクション２２がガイドストッパ１９と接触した状態になり、ガイド体に対して回転軸線２９の方向に半径方向にきつく接し、回転抵抗を局所的に増大させる。
【００３６】
第１の所期の位置２１または第２の所期の位置３５から作動経路への移行中、わずかに増大した回転抵抗に打ち勝たなければならない。わずかに増大した回転抵抗は、ガイドストッパ１９を乗り越えるときに打ち勝たなければならない回転抵抗より小さい。回転軸線２９からガイド面１８までの距離は、ガイド要素１７のきつい接触および関連する回転抵抗が作動経路におけるよりも小さくなるように、作動経路の外側に寸法決めされ得る。
【００３７】
図３は、閉鎖本体１４の上側の平面図を示す。閉鎖装置は、閉鎖蓋１５を閉鎖本体１４に対して反時計回りに４分の１回転させることにより、封止状態から流動状態にすることができる。そのとき、閉鎖蓋１５の切欠き３２は、図の左半分の端面２６の上方にあり、封止要素２４は、液体通路１６の口および空気通路２５の口の上方にあり、閉鎖蓋１５のガイド体１７は、摺動面の第１のサブセクション２２を介してガイド面１８の引っ込んだセクション２１と接触し、エンドストッパ２０に対して横方向に当接することができる。
【００３８】
図４の閉鎖蓋１５の下側の平面図は、ガイド体１７上の摺動面のサブセクション２２、２３の位置を明確にしている。摺動面は、回転軸線２９から離れる方向に向くガイド体１７の側面上にあり、形状が逆Ｙ字に類似している。形状は、図面の平面に対する垂直面で摺動面にまたがっている。
【００３９】
飲料容器に対面する閉鎖本体１４の下側は図５に示されている。閉鎖本体１４は、封止フランジ２７および外壁２８によって境界を定められ、液体通路１６の後側の口、ガイド面１８の後側面３７、およびめねじ３０のソケット３６が内部に見られる。閉鎖本体１４の下側までの内面は、飲料容器上で閉鎖本体１４を使用する間にたびたび液体で濡らされる。不純物および変色の蓄積を低減するために、内面は滑らかに研磨され得る。
【００４０】
図６に示される例示的な実施形態では、閉鎖蓋１５の上側は、閉鎖本体１４に対する回転を容易にするためにグリップ３３を備える。
【図１】
2021510658.tif 000003
【図２】
2021510658.tif 000004
【図３】
2021510658.tif 000005
【図４】
2021510658.tif 000006
【図５】
2021510658.tif 000007
【図６】
2021510658.tif 000008
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
閉鎖本体（１４）と、閉鎖蓋（１５）とを有する、飲料容器用の閉鎖装置であって、
前記閉鎖蓋（１５）が、流動状態と封止状態との間で前記閉鎖本体（１４）に対して回転可能であるように取り付けられており、
前記閉鎖本体（１４）の液体通路（１６）が、前記流動状態で妨げられず、前記封止状態で閉鎖されており、前記閉鎖蓋（１５）と前記閉鎖本体（１４）との間にガイド装置（１７、１８、１９、２０、２１、３５）を有し、
前記ガイド装置が、２つの所期の位置（２１、３５）を含み、前記２つの所期の位置（２１、３５）を用いて前記封止状態および前記流動状態が画定され、
前記閉鎖蓋（１５）と前記閉鎖本体（１４）との間の回転可能な取付け部が、ねじ付きの取付け部（３０、３１）の形をとり、
前記ねじのピッチは、前記ガイド装置（１７、１８、１９、２０、２１、３５）が３６０°以下の回転角で軸線方向に係合解除されるように寸法決めされている、飲料容器用の閉鎖装置。
【請求項２】
前記所期の位置（２１、３５）への到達および／または前記所期の位置（２１、３５）からの離脱が、触覚手段によって識別され得ることを特徴とする、請求項１に記載の閉鎖装置。
【請求項３】
前記ガイド装置（１７、１８、１９、２０、２１、３５）が摺動式のガイドの形をとり、前記摺動式のガイドでは、前記閉鎖蓋（１５）のガイド要素（１７）が、前記封止状態と前記流動状態との間の作動経路上で前記閉鎖本体（１４）のガイド要素（１８）に沿って摺動することを特徴とする、請求項１または２に記載の閉鎖装置。
【請求項４】
前記２つの所期の位置（２１、３５）のうちの第１の所期の位置（２１）が乗り越えられ得るガイドストッパ（１９）に隣接すること、および／または、前記２つの所期の位置（２１、３５）のうちの第２の所期の位置（３５）がエンドストッパ（２０）に隣接することを特徴とする、請求項１〜３のいずれか一項に記載の閉鎖装置。
【請求項５】
第１のガイド要素がガイド面（１８）の形をとり、
前記ガイド面が円周面であり、前記閉鎖蓋の回転軸線（２９）と同心である２つの円によって１つまたは複数の角度が付いたセクションで境界が画されていることを特徴とする、請求項１〜４のいずれか一項に記載の閉鎖装置。
【請求項６】
前記２つの所期の位置（２１、３５）のうちの第１の所期の位置（２１）および／または前記２つの所期の位置（２１、３５）のうちの第２の所期の位置（３５）が、前記ガイド面（１８）の引っ込んだセクションによって画定されていることを特徴とする、請求項５に記載の閉鎖装置。
【請求項７】
前記ガイド装置が、前記ガイド面（１８）と相互作用するガイド体（１７）を備えることを特徴とする、請求項５または６に記載の閉鎖装置。
【請求項８】
前記ガイド体（１７）が摺動面を備え、前記摺動面が、前記摺動面の第１のサブセクション（２２）を介して、平坦であるかまたは前記閉鎖蓋の前記回転軸線（２９）に対して同心に湾曲している前記ガイド面（１８）と接触することができ、前記摺動面と前記ガイド面（１８）との間の距離が、前記摺動面の第２のサブセクション（２３）内で回転方向に連続的に増加し、前記摺動面が、前記第２のサブセクション（２３）を介して前記ガイドストッパ（１９）と接触することができることを特徴とする、請求項７に記載の閉鎖装置。
【請求項９】
前記閉鎖蓋（１５）の封止要素（２４）が、前記流動状態で前記閉鎖本体（１４）の空気通路（２５）から軸線方向に離間されること、および／または、前記閉鎖蓋（１５）の封止要素（２４）が、前記流動状態で前記液体通路（１６）から軸線方向に離間されることを特徴とする、請求項１〜８のいずれか一項に記載の閉鎖装置。
【請求項１０】
前記閉鎖蓋（１５）が、前記閉鎖本体（１４）から完全に分離可能であることを特徴とする、請求項１〜９のいずれか一項に記載の閉鎖装置。
【請求項１１】
前記液体通路（１６）および／または前記空気通路（２５）が、前記閉鎖蓋の回転軸線（２９）に対して垂直に向けられた端面（２６）内に開口すること、および、前記閉鎖蓋（１５）が前記端面（２６）に適合する封止要素（２４）を有することを特徴とする、請求項１〜１０のいずれか一項に記載の閉鎖装置。
【請求項１２】
前記端面（２６）が、前記ガイド装置（１７、１８、１９、２０、２１、３５）の半径方向外側に配置されることを特徴とする、請求項１１に記載の閉鎖装置。
【請求項１３】
前記閉鎖本体の前記ガイド要素（１８）が、前記端面（２６）に対して軸線方向に引っ込んでいることを特徴とする、請求項１１または１２に記載の閉鎖装置。
【国際調査報告】
2021510658.tif 000009
2021510658.tif 000010
2021510658.tif 000011
2021510658.tif 000012